(57)【要約】【課題】    本発明の目的は、使用勝手が良好な紐状部材収納体を提供するものである。【解決手段】    紐状部材収納体Ｓは、第１の開口部２ａを有すると共に、紐状部材１を収納する収納体２と、この収納体２に収納された紐状部材１を覆うと共に、天井に紐状部材１を外に導く第２の開口部２ａを有するカバー体３とを備え、このカバー体３に第２の開口部３ａを通して外に導かれた紐状部材１が係止する係止部Ｋ１が設けられているものである。【選択図】図４
2020083338.tif 000002
【特許請求の範囲】
【請求項１】
第１の開口部を有すると共に、紐状部材を収納する収納体と、
この収納体に収納された前記紐状部材を覆うと共に、天井に前記紐状部材を外に導く第２の開口部を有するカバー体とを備え、
このカバー体に前記第２の開口部を通して外に導かれた前記紐状部材が係止する係止部が設けられている
ことを特徴とする紐状部材収納体。
【請求項２】
収納体は、プラスチックで形成され、
カバー体は、プラスチックで形成され、
前記カバー体は、天井に第１の平坦面が形成され、
この第１の平坦面に突状の環状体が設けられ、
前記収納体の前記略半球状の下面に載置部が形成され、
この載置部の内方に凹状部が形成され、
請求項１記載の紐状部材収納体を垂直方向に積み重ねた場合、上に位置する前記紐状部材収納体の前記凹状部内に下に位置する前記紐状部材収納体の前記突状の環状体が位置し、
前記突状の環状体の一部が欠如している
ことを特徴とする請求項１記載の紐状部材収納体。
【請求項３】
カバー体に第２の開口部と前記カバー体の外縁部を連通し、紐状部材の移動を許容する通路が設けられ、
前記紐状部材は、毛糸玉の毛糸又はレース糸玉の糸であり、
前記通路の開放端が外に臨み、
前記通路に前記毛糸玉の毛糸又は、前記レース糸玉の糸が係止するスリット部が設けられている
ことを特徴とする請求項１記載の紐状部材収納体。
【請求項４】
収納体は、プラスチックで形成され、
カバー体は、プラスチックで形成され、
前記カバー体は、天井に第１の平坦面が形成され、
この第１の平坦面に突状の環状体が設けられ、
前記収納体の下面に載置部が形成され、
この載置部の内方に凹状部が形成され、
請求項１記載の紐状部材収納体を垂直方向に積み重ねた場合、上に位置する前記紐状部材収納体の前記凹状部内に下に位置する前記紐状部材収納体の前記突状の環状体が位置する
ことを特徴とする請求項１記載の紐状部材収納体。
【請求項５】
第２の開口部とカバー体の外縁部を連通し、紐状部材の移動を許容する通路が設けられ、
この通路は、前記紐状部材の直径より大、又は、小であり、
前記小の場合、前記紐状部材が変形して前記通路を前記紐状部材が通過するか、又は、前記通路が変形して前記通路を前記紐状部材が通過するかであり、
前記通路の開放端が外に臨んでいる
ことを特徴とする請求項１記載の紐状部材収納体。
【請求項６】
収納体は、略半球状に形成され、
カバー体は、プラスチックで略半球状に形成され、
前記カバー体は、前記略半球状の頂面に第１の平坦面が形成され、
第２の開口部は、前記第１の平坦面に設けられ、
係止部は、プラスチックで形成され、前記第１の平坦面から立設する第１の立設部と、この第１の立設部に接続され、前記第１の平坦面に略平行な第１の水平部とを有し、
紐状部材は、前記第１の平坦面と前記第１の水平部の間で挟んで係止される
ことを特徴とする請求項１記載の紐状部材収納体。
【請求項７】
収納体は、略半球状に形成され、
カバー体は、プラスチックで略半球状に形成され、
前記カバー体は、前記略半球状の頂面に第１の平坦面が形成され、
第２の開口部は、前記第１の平坦面に設けられ、
係止部は、プラスチックで形成され、前記第１の平坦面から立設する第１の立設部と、この第１の立設部に接続され、前記第１の平坦面に平行な第１の水平部とを有する第１の係止部と、前記第１の平坦面から立設する第２の立設部と、この第２の立設部に接続され、前記第１の平坦面に平行な第２の水平部とを有する第２の係止部とを備え、
前記第１の立設部と前記第２の立設部とは対向し、
紐状部材は、前記第１の平坦面と前記第１の水平部の間と前記第１の平坦面と前記第２の水平部の間とを利用して、前記第１の係止部、前記第２の係止部に巻き付けて係止する
ことを特徴とする請求項１記載の紐状部材収納体。
【発明の詳細な説明】
【技術分野】
【０００１】
本発明は、紐状部材収納体に係り、特に、使用勝手が良好な紐状部材収納体に関する。
【背景技術】
【０００２】
従来、編物をしているときに毛糸玉が転がって行ったり、毛糸が絡まったりしているのを防止する毛糸玉ケースがある（特許文献１参照）。
【先行技術文献】
【特許文献】
【０００３】
【特許文献１】特開２０１１−２３１４４０号公報
【発明の概要】
【発明が解決しようとする課題】
【０００４】
上記毛糸玉ケースにあっては、ケースの胴体部の上面部に毛糸の出口穴を設けているものの、例えば、編み物を中断する場合、不用意に毛糸を引っ張った場合、毛糸が毛糸玉ケースから出てしまい、糸の絡みの要因となり、使用勝手が良くないという問題点が生じた。
【０００５】
本発明は、上記の問題点を考慮してなされた紐状部材収納体を提供することにある。
【課題を解決するための手段】
【０００６】
請求項１記載の紐状部材収納体は、第１の開口部を有すると共に、紐状部材を収納する収納体と、この収納体に収納された前記紐状部材を覆うと共に、天井に前記紐状部材を外に導く第２の開口部を有するカバー体とを備え、このカバー体に前記第２の開口部を通して外に導かれた前記紐状部材が係止する係止部が設けられているものである。
【０００７】
また、請求項２記載の紐状部材収納体は、請求項１記載の紐状部材収納体において、収納体は、プラスチックで形成され、カバー体は、プラスチックで形成され、前記カバー体は、天井に第１の平坦面が形成され、この第１の平坦面に突状の環状体が設けられ、前記収納体の前記略半球状の下面に載置部が形成され、この載置部の内方に凹状部が形成され、請求項１記載の紐状部材収納体を垂直方向に積み重ねた場合、上に位置する前記紐状部材収納体の前記凹状部内に下に位置する前記紐状部材収納体の前記突状の環状体が位置し、前記突状の環状体の一部が欠如しているものである。
【０００８】
また、請求項３記載の紐状部材収納体は、請求項１記載の紐状部材収納体において、カバー体に第２の開口部と前記カバー体の外縁部を連通し、紐状部材の移動を許容する通路が設けられ、前記紐状部材は、毛糸玉の毛糸又はレース糸玉の糸であり、前記通路の開放端が外に臨み、前記通路に前記毛糸玉の毛糸又は、前記レース糸玉の糸が係止するスリット部が設けられているものである。
【０００９】
また、請求項４記載の紐状部材収納体は、請求項１記載の紐状部材収納体において、収納体は、プラスチックで形成され、カバー体は、プラスチックで形成され、前記カバー体は、天井に第１の平坦面が形成され、この第１の平坦面に突状の環状体が設けられ、前記収納体の下面に載置部が形成され、この載置部の内方に凹状部が形成され、請求項１記載の紐状部材収納体を垂直方向に積み重ねた場合、上に位置する前記紐状部材収納体の前記凹状部内に下に位置する前記紐状部材収納体の前記突状の環状体が位置するものである。
【００１０】
また、請求項５記載の紐状部材収納体は、請求項１記載の紐状部材収納体において、第２の開口部とカバー体の外縁部を連通し、紐状部材の移動を許容する通路が設けられ、
この通路は、前記紐状部材の直径より大、又は、小であり、
前記小の場合、前記紐状部材が変形して前記通路を前記紐状部材が通過するか、又は、前記通路が変形して前記通路を前記紐状部材が通過するかであり、
前記通路の開放端が外に臨んでいるものである。
【００１１】
また、請求項６記載の紐状部材収納体は、請求項１記載の紐状部材収納体において、収納体は、略半球状に形成され、カバー体は、プラスチックで略半球状に形成され、前記カバー体は、前記略半球状の頂面に第１の平坦面が形成され、第２の開口部は、前記第１の平坦面に設けられ、係止部は、プラスチックで形成され、前記第１の平坦面から立設する第１の立設部と、この第１の立設部に接続され、前記第１の平坦面に略平行な第１の水平部とを有し、紐状部材は、前記第１の平坦面と前記第１の水平部の間で挟んで係止されるものである。
【００１２】
また、請求項７記載の紐状部材収納体は、請求項１記載の紐状部材収納体において、収納体は、略半球状に形成され、カバー体は、プラスチックで略半球状に形成され、前記カバー体は、前記略半球状の頂面に第１の平坦面が形成され、第２の開口部は、前記第１の平坦面に設けられ、係止部は、プラスチックで形成され、前記第１の平坦面から立設する第１の立設部と、この第１の立設部に接続され、前記第１の平坦面に平行な第１の水平部とを有する第１の係止部と、前記第１の平坦面から立設する第２の立設部と、この第２の立設部に接続され、前記第１の平坦面に平行な第２の水平部とを有する第２の係止部とを備え、前記第１の立設部と前記第２の立設部とは対向し、紐状部材は、前記第１の平坦面と前記第１の水平部の間と前記第１の平坦面と前記第２の水平部の間とを利用して、前記第１の係止部、前記第２の係止部に巻き付けて係止するものである。
【発明の効果】
【００１３】
請求項１記載の紐状部材収納体によれば、紐状部材を使用しない時、カバー体に第２の開口部を通して外に導かれた前記紐状部材を係止部に係止して、第２の開口部から紐状部材が引き出されるのを防いで使用勝手が良好な紐状部材収納体を得ることができる。
【００１４】
また、請求項２記載の紐状部材収納体によれば、上述した請求項１記載の発明の効果に加え、載置部の内方に凹状部が、第１の平坦面の上面に突状の環状体が、それぞれ設けられているため、凹状部、突状の環状体がないものに比べ、プラスチックで形成された収納体及びカバー体の強度を補強できると共に、紐状部材収納体を垂直方向に積み重ねた場合、上に位置する前記紐状部材収納体の前記凹状部内に下に位置する前記紐状部材収納体の前記突状の環状体が位置するため、凹状部の内壁がストッパー機能を発揮し、垂直方向に積み重ねた紐状部材収納体のずれを防いで、紐状部材収納体のスタッキングを安定して保持して、使用勝手を向上させることができ、しかも、突状の環状体の一部が欠如しているため、欠如した部位に紐状部材を位置させ、スタッキングに支障が生じるのを防ぎ、また、編み中に毛糸玉の毛糸又は、レース糸玉の糸を紐状部材収納体から引き出す際、突状の環状体を乗り越えることを防いで、糸の摩擦による損傷をも防ぐことができる。
【００１５】
また、請求項３記載の紐状部材収納体によれば、上述した請求項１記載の発明の効果に加え、第２の開口部とカバー体の外縁部を連通し、紐状部材の移動を許容する通路が設けられ、この通路の開放端が外に臨んでいるため、毛糸の編み中又はレース糸の編み中でも通路を介して、収納体に収納された毛糸玉の毛糸又はレース糸玉の糸を通して、編み中の毛糸玉又はレース糸玉を収納体から取り出し、新たな毛糸玉又はレース糸玉を収納体に収納して、毛糸玉又はレース糸玉を交換でき、
また、通路に毛糸玉の毛糸又は、レース糸玉の糸が係止するスリット部が設けられているため、交換する必要がない通常の場合、通路から誤って毛糸玉の毛糸又はレース糸玉のレース糸が引き出されるのを防ぐことができ、交換する必要がある場合は、毛糸玉の毛糸又はレース糸玉の糸を外に向かって引っ張れば、スリット部を介して通路内に導き、毛糸の編み中又はレース糸の編み中でも新たな毛糸玉又はレース糸玉の交換でき、使用勝手を向上させることができる。
【００１６】
また、請求項４記載の紐状部材収納体によれば、上述した請求項１記載の発明の効果に加え、載置部に凹状部が、第１の平坦面の上面に突状の環状体が、それぞれ設けられているため、凹状部、突状の環状体がないものに比べ、プラスチックで形成された収納体及びカバー体の強度を補強できると共に、紐状部材収納体を垂直方向に積み重ねた場合、上に位置する前記紐状部材収納体の前記凹状部内に下に位置する前記紐状部材収納体の前記突状の環状体が位置するため、凹状部の内壁がストッパー機能を発揮し、垂直方向に積み重ねた紐状部材収納体のずれを防いで、紐状部材収納体のスタッキングを安定して保持して、使用勝手を向上させることができる。
【００１７】
また、請求項５記載の紐状部材収納体によれば、上述した請求項１記載の発明の効果に加え、カバー体に第２の開口部と前記カバー体の外縁部を連通し、紐状部材の移動を許容する通路が設けられ、この通路の開放端が外に臨んでいるため、毛糸の編み中又はレース糸の編み中でも通路を介して、収納体に収納された毛糸玉の毛糸又はレース糸玉の糸を通して、編み中の毛糸玉又はレース糸玉を収納体から取り出し、新たな毛糸玉又はレース糸玉を収納体に収納して、毛糸玉又はレース糸玉を交換でき、使用勝手を向上させることができる。
【００１８】
また、請求項６記載の紐状部材収納体によれば、上述した請求項１記載の発明の効果に加え、紐状部材は、第１の平坦面と第１の水平部の間の隙間を利用して、第１の平坦面と第１の水平部の間で挟んで係止することができる。
【００１９】
また、請求項７記載の紐状部材収納体によれば、上述した請求項１記載の発明の効果に加え、紐状部材は、第１の平坦面と第１の水平部の間と前記第１の平坦面と第２の水平部の間とを利用して、第１の係止部、第２の係止部に巻き付けて確実に係止することができる。
【図面の簡単な説明】
【００２０】
【図１】図１は、本発明の一実施例の紐状部材収納体に紐状部材（例えば、毛糸玉の毛糸）を収納する前の状態の概略的図である。
【図２】図２は、図１の紐状部材収納体を閉じると共に、カバー体の第２の開口部から紐状部材（例えば、毛糸玉の毛糸）が外に出た状態の概略的図である。
【図３】図３は、図２の一部を拡大した概略的一部拡大図である。
【図４】図４は、図３に相当する部分を撮影した写真である。
【図５】図５は、図１の紐状部材収納体の使用状態を撮影した写真である。
【図６】図６は、図１〜図５記載の紐状部材収納体のカバー体と異なる他の実施例の紐状部材収納体のカバー体の概略的図である。
【図７】図７は、図１〜図５記載の紐状部材収納体と異なる他の実施例の紐状部材収納体の概略的図である。
【図８】図８は、図７の紐状部材収納体のカバー体の第２の開口部から紐状部材（例えば、レース糸玉の糸）が外に出た状態の概略的図である。
【図９】図９は、図８の一部を拡大した概略的一部拡大図である。
【図１０】図１０は、図７の実施品の図９に相当する部分を撮影した写真である。
【図１１】図１１は、図７の実施品から紐状部材（例えば、レース糸玉の糸）を取り除くと共に、紐状部材収納体を開いた状態を撮影した写真である。
【図１２】図１２は、図１１を裏側から撮影した写真である。
【図１３】図１３は、図３の係止部と異なる他の実施例の係止部を示す概略的斜視図である。
【図１４】図１４は、図６の通路と異なる他の実施例の通路を示す概略的斜視図である。
【図１５】図１５は、図１４の通路と異なる他の実施例の通路を示す概略的斜視図である。
【図１６】図１６は、図７の紐状部材収納体（内在するレース糸玉を省略）を積み重ねた状態を示す概略的断面図である。
【発明を実施するための形態】
【００２１】
本発明の一実施例の紐状部材収納体を図１乃至図１５を参照して説明する。
【００２２】
［図１乃至図５、図１３］
図１に示すＳは、紐状部材１を収納する紐状部材収納体であり、紐状部材１は、例えば、紙紐、毛糸、レース糸等の長尺物である。
【００２３】
２は、第１の開口部２ａを有すると共に、紐状部材１を収納する収納体である。収納体２は、例えば、プラスチックで、より具体的には、略半球状に形成され、収納体２の略半球状の下面に載置部（図１６の２Ａに相当、載置部は、例えば、第２の平坦面）が形成され、この載置部（図１６の２Ａに相当、載置部は、例えば、第２の平坦面）の内方に凹状部（図１６の２Ａ１に相当）が形成されている。
載置部（図１６の２Ａに相当、例えば、第２の平坦面）は、例えば、テーブル、床、カーペット、紐状部材収納体Ｓの後述する突状の環状体３Ｘ等に載置する。
【００２４】
３は、収納体２に収納された紐状部材１を覆うと共に、天井に紐状部材１を外に導く第２の開口部３ａを有するカバー体で、このカバー体３は、例えば、プラスチックで、より具体的には、略半球状に形成され、カバー体３には、第２の開口部３ａを通して外に導かれた紐状部材１が係止する係止部Ｋ１が設けられ、第２の開口部３ａを覆う部材はなく、第２の開口部３ａは外に臨んでいる。
係止部Ｋ１は、第２の開口部３ａの縁部に臨むように図示しない切り込み（スリット）を設けても良いが、例えば、プラスチックで形成され、第１の平坦面３Ａから立設する第１の立設部Ｋ１１と、この第１の立設部Ｋ１１に接続され、第１の平坦面３Ａに略平行な第１の水平部Ｋ１２とを有したもので、紐状部材１は、第１の平坦面３Ａと第１の水平部Ｋ１２の間で挟んで係止されるようにしても良いし、また、図１３に示すように、第２の開口部３ａを開閉する蓋の裏面に突起を設けて、第２の開口部３ａより外に出る紐状部材１を前記突起と第２の開口部３ａの開口縁部で係止する係止部Ｋ１でも良い。
【００２５】
従って、上述した紐状部材収納体Ｓによれば、紐状部材１を使用しない時、カバー体３に第２の開口部３ａを通して外に導かれた紐状部材１を係止部Ｋ１に係止して、第２の開口部３ａから紐状部材１が引き出されるのを防いで使用勝手が良好な紐状部材収納体Ｓを得ることができる。
なお、図１〜図５記載の紐状部材収納体Ｓにあっては、第２の開口部３ａを覆う部材はなく、第２の開口部３ａは外に臨んでいるため、紐状部材１の係止部Ｋ１への係止、非係止が第２の開口部３ａを覆う部材がない分、使用勝手が良好である。
【００２６】
［図６、図１４、図１５］
また、図５に示す毛糸の編み中においては、第２の開口部３ａを紐状部材１が通っているため、図５に示す毛糸の編み中において、第２の開口部３ａが邪魔して、そのままでは、紐状部材収納体Ｓに新たな毛糸玉を交換することが出来ないが、図６に示す紐状部材収納体Ｓのカバー体３にあっては、新たな紐状部材１の交換が可能である。
即ち、図６に示すように、カバー体３に、第２の開口部３ａとカバー体３の外縁部３Ｚ３を連通し、紐状部材１の移動を許容する通路３Ｚが設けられている。図６の場合、紐状部材１は、毛糸玉の毛糸又はレース糸玉の糸であり、通路３Ｚの開放端が外に臨み、通路３Ｚに毛糸玉の毛糸又は、レース糸玉の糸が係止するスリット部３Ｚ１が設けられている。
そのため、毛糸の編み中又はレース糸の編み中でも通路３Ｚを介して、収納体２に収納された毛糸玉の毛糸又はレース糸玉の糸を通して、編み中の毛糸玉又はレース糸玉を収納体２から取り出し、新たな毛糸玉又はレース糸玉を収納体に収納して、毛糸玉又はレース糸玉を交換でき、
また、通路３Ｚに毛糸玉の毛糸又は、レース糸玉の糸が係止するスリット部３Ｚ１が設けられているため、交換する必要がない通常の場合、通路３Ｚから誤って毛糸玉の毛糸又はレース糸玉のレース糸が引き出されるのを防ぐことができ、交換する必要がある場合は、毛糸玉の毛糸又はレース糸玉の糸を外に向かって引っ張れば、スリット部３Ｚ１を介して通路３Ｚ内に導き、毛糸の編み中又はレース糸の編み中でも新たな毛糸玉又はレース糸玉の交換でき、使用勝手を向上させることができる。
図６に示す３Ｚ２は、通路３Ｚに位置する紐状部材１を係止するためのスリットである。
なお、場合により、図６に示すスリット部３Ｚ１を省略して、図１４に示すように、、第２の開口部３ａとカバー体３の外縁部を連通し、紐状部材１の移動を許容する通路３Ｚが設けられるようにしても良い。紐状部材１は、毛糸玉の毛糸又はレース糸玉の糸であり、通路３Ｚの開放端３Ｚ３が外に臨んでいるようにしても良い。
図１４に示す通路３Ｚは、紐状部材１の直径より大で、紐状部材１は、通路３Ｚを通過することができる。
その結果、紐状部材１の作業中、通路３Ｚを介して、収納体２に収納された紐状部材１の、例えば、糸を通して、作業中の紐状部材１を収納体２から取り出し、新たな紐状部材１を収納体２に収納して、紐状部材１を交換することができる。
なお、図１４に示す通路３Ｚは、紐状部材１の直径より大の場合であるが、通路３Ｚが紐状部材１の直径より小の場合は、図１５記載の紐状部材収納体Ｓによる。
図１５に示す通路３Ｚ４は紐状部材１の直径より小の場合であって、この場合、紐状部材１が変形して通路３Ｚ４を紐状部材１が通過する（又は、通路３Ｚ４が変形して通路３Ｚ４を紐状部材１が通過する。）。
その結果、紐状部材１の作業中、通路３Ｚ４を介して、収納体２に収納された紐状部材１の例えば、糸を通して、作業中の紐状部材１を収納体２から取り出し、新たな紐状部材１を収納体２に収納して、紐状部材１を交換することができる。
【００２７】
［図７乃至図１２、図１６］
上述した図１乃至図６記載の実施例においては、紐状部材１の例として毛糸玉の毛糸を挙げたが、本願発明は、これに限らず、レース糸玉のレース糸でも良い（図７乃至図１２）。
【００２８】
収納体２は、上述した実施例と同様、プラスチックで略半球状に形成され、カバー体３は、プラスチックで略半球状に形成され、カバー体３は、前記略半球状の天井に第１の平坦面３Ａが形成されている。
そして、第１の平坦面３Ａに図示しない突状の環状体［本実施例の突状の環状体３Ｘは、一部が欠如している（欠如している部位３Ｘ１）が、場合により、欠如せず、突状の環状体３Ｘとしても良い。］が設けられ、収納体２の略半球状の下面に載置部（例えば、第２の平坦面）２Ａが形成され、この載置部（例えば、第２の平坦面）２Ａの内方に凹状部２Ａ１が形成される。
載置部（図１６の２Ａに相当、例えば、第２の平坦面）は、上述の実施例と同様に、例えば、テーブル、床、カーペット、紐状部材収納体Ｓの突状の環状体３Ｘ等に載置する。
そして、図１６記載のように、紐状部材収納体Ｓを垂直方向に積み重ねた場合、上に位置する紐状部材収納体Ｓの凹状部２Ａ１内に下に位置する紐状部材収納体Ｓの図示しない突状の環状体［本実施例の突状の環状体３Ｘは、一部が欠如している（欠如している部位３Ｘ１）。］が位置する。
【００２９】
そのため、凹状部、突状の環状体がないものに比べ、プラスチックで形成された収納体２及びカバー体３の強度を補強できると共に、紐状部材収納体Ｓを垂直方向に積み重ねた場合、上に位置する紐状部材収納体Ｓの凹状部２Ａ１内に下に位置する紐状部材収納体Ｓの図示しない突状の環状体［本実施例の突状の環状体３Ｘは、一部が欠如している（欠如している部位３Ｘ１）が、場合により、一部が欠如しない環状体３Ｘでも良い。］が位置するため、凹状部２Ａ１の内壁がストッパー機能を発揮し、垂直方向に積み重ねた紐状部材収納体Ｓのずれを防いで、紐状部材収納体Ｓのスタッキングを安定して保持して、使用勝手を向上させることができる。
【００３０】
なお、本実施例の突状の環状体３Ｘの一部が欠如しているため、欠如した部位３Ｘ１に紐状部材１を位置させ、スタッキングに支障が生じるのを防ぎ、また、編み中に毛糸玉の毛糸又は、レース糸玉の糸を紐状部材収納体Ｓから引き出す際、突状の環状体３Ｘを乗り越えることを防いで、糸の摩擦による損傷をも防ぐことができる。
【００３１】
また、図１０に示す係止部Ｋは、プラスチックで形成され、第１の平坦面３Ａから立設する第１の立設部Ｋ１１と、この第１の立設部Ｋ１１に接続され、第１の平坦面３Ａに略平行な第１の水平部Ｋ１２とを有する第１の係止部Ｋ１と、第１の平坦面３Ａから立設する第２の立設部Ｋ２１と、この第２の立設部Ｋ２１に接続され、第１の平坦面３Ａに略平行な第２の水平部Ｋ２２とを有する第２の係止部Ｋ２とを備え、第１の立設部Ｋ１１と第２の立設部Ｋ２１とは対向し、第１の水平部Ｋ１２と第２の立設部Ｋ２１は、外側を向いている。
そのため、紐状部材１は、第１の平坦面３Ａと第１の水平部Ｋ１２の間と第１の平坦面３Ａと第２の水平部Ｋ２２の間とを利用して、第１の係止部Ｋ１、第２の係止部Ｋ２に巻き付けて確実に係止することができる（図１０参照）。
【符号の説明】
【００３２】
Ｓ      紐状部材収納体
１      紐状部材
２      収納体
３      カバー体
２ａ    第１の開口部
３ａ    第２の開口部
Ｋ１    係止部
【図１】
2020083338.tif 000003
【図２】
2020083338.tif 000004
【図３】
2020083338.tif 000005
【図４】
2020083338.tif 000006
【図５】
2020083338.tif 000007
【図６】
2020083338.tif 000008
【図７】
2020083338.tif 000009
【図８】
2020083338.tif 000010
【図９】
2020083338.tif 000011
【図１０】
2020083338.tif 000012
【図１１】
2020083338.tif 000013
【図１２】
2020083338.tif 000014
【図１３】
2020083338.tif 000015
【図１４】
2020083338.tif 000016
【図１５】
2020083338.tif 000017
【図１６】
2020083338.tif 000018